(57)【特許請求の範囲】
【請求項１】
吐出量最大方向へ付勢される吐出量変更部材を圧液の導入により吐出量減少方向へ作動させる吐出量変更アクチュエータと、設置孔に収容され吐出圧の作用を受けて調圧ばねのばね力に抗する移動で吐出量変更アクチュエータに圧液を導く圧力制御弁とを有し、この設置孔のポンプ本体外への開口側端部には圧力制御弁を付勢する調圧ばねのばね力を調整する調整ねじが螺合できるねじ部を備えた可変ポンプに適用される圧力調整操作装置であって、ウォームギヤを収容するケースにはウォームギヤにおけるウォームホイールと同軸状に突出する筒部を設け、筒部外周には圧力制御弁設置孔におけるねじ部に螺合できるねじ部を設けるとともに、筒部内周にもねじ部を設け、この筒部内周のねじ部に螺合して回動により軸方向に進退する進退部材をウォームホイールと一体的に回動するよう連結し、ウォームギヤにおけるウォームを回動操作する操作軸をウォームと同軸状に突出させてその先端に回動操作を受けるための操作係合部を設け、調整ねじを螺合しない設置孔のねじ部に筒部外周のねじ部を螺合してポンプ本体に取り付けられ進退部材の進退により調圧ばねのばね力を調整し、ウォームギヤを収容するケースは、ウォームホイールとウォームを収容する収容孔を有したケース本体と、ケース本体のウォームホイール収容孔開口側に筒部を形成するため配置された筒体とを含み、筒体はケース本体の側面に当接するフランジ部を最大径とし、ケース本体の筒体と反対側からケース本体を貫通して筒体に達する組み付けボルトによりケース本体と筒体とが一体的に組み付けられたことを特徴とする可変ポンプのための圧力調整操作装置。
【請求項２】
吐出量最大方向へ付勢される吐出量変更部材を圧液の導入により吐出量減少方向へ作動させる吐出量変更アクチュエータと、設置孔に収容され吐出圧の作用を受けて調圧ばねのばね力に抗する移動で吐出量変更アクチュエータに圧液を導く圧力制御弁とを有し、この設置孔のポンプ本体外への開口側端部には圧力制御弁を付勢する調圧ばねのばね力を調整する調整ねじが螺合できるねじ部を備えた可変ポンプがこれを駆動する電動機とともに作動油を貯蔵する油タンク内に油中へ浸漬状態で設置され、請求項１に記載の圧力調整操作装置が、その筒部外周のねじ部を設置孔のねじ部に螺合して可変ポンプのポンプ本体に取り付けられ、この圧力調整操作装置の操作軸が上方へ向かって延びて先端を作動油の外へ突出させており、操作軸先端に臨んだ油タンクの上板には、操作軸回動操作用の孔を設け、この孔を覆う蓋部材を着脱自在に設置したことを特徴とする油圧ユニット。
【発明の詳細な説明】
【０００１】
【産業上の利用分野】
本発明は、油圧ユニットの油タンク内に設置される可変ポンプのための圧力調整操作装置と、この圧力調整操作装置を備えた可変ポンプを用いる油圧ユニットに関する。
【０００２】
【従来の技術】
本出願人の出願に係る特願平５−２４０４０３号には、油圧ユニットの油タンク内に、可変ポンプとこれを駆動する電動機とを油中に浸漬した状態で配置したものが記載されている。
【０００３】
そしてこのものでは、可変ポンプの設定圧力を調整するために、ウォームギヤを収容したケースを可変ポンプ本体に取り付けてウォームギヤにおけるウォームホイールと調整ねじとを連結する一方、ウォームに連結した操作軸を油の外へと上方へ延ばし、油タンクの上板の操作軸上端に臨んだ部位に、通常は施蓋される孔を設けておき、所望の際にこの孔から操作軸を回動操作することによりウォームギヤを介して調整ねじを回動進退させて調圧ばねのばね力を調整できるようにしている。
【０００４】
【発明が解決しようとする課題】
ところが、この特願平５−２４０２０３号に示されたものでは、ウォームギヤのケースを可変ポンプに取り付けるにあたり、可変ポンプの本体に取り付けボルトにより取付板を固定し、この取付板に前記ケースをボルトで取り付けるようにしているので、可変ポンプの本体には、取り付けボルトのための追加工が必要になり、手間がかかってコスト高となる問題点がある。
【０００５】
本発明は、可変ポンプ側に格別な追加工を必要とせずにウォームギヤのケースを取り付けできるようにして、このような問題点の解消をはかるものである。
【０００６】
【課題を解決するための手段】
このため本発明では、吐出量最大方向へ付勢される吐出量変更部材を圧液の導入により吐出量減少方向へ作動させる吐出量変更アクチュエータと、設置孔に収容され吐出圧の作用を受けて調圧ばねのばね力に抗する移動で吐出量変更アクチュエータに圧液を導く圧力制御弁とを有し、この設置孔のポンプ本体外への開口側端部には圧力制御弁を付勢する調圧ばねのばね力を調整する調整ねじが螺合できるねじ部を備えた可変ポンプを用い、これに適用される圧力調整操作装置を次のように構成した。すなわち、ウォームギヤを収容するケースにはウォームギヤにおけるウォームホイールと同軸状に突出する筒部を設け、筒部外周には圧力制御弁設置孔におけるねじ部に螺合できるねじ部を設けるとともに、筒部内周にもねじ部を設け、この筒部内周のねじ部に螺合して回動により軸方向に進退する進退部材をウォームホイールと一体的に回動するよう連結し、ウォームギヤにおけるウォームを回動操作する操作軸をウォームと同軸状に突出させてその先端に回動操作を受けるための操作係合部を設け、調整ねじを螺合しない設置孔のねじ部に筒部外周のねじ部を螺合してポンプ本体に取り付けられ進退部材の進退により調圧ばねのばね力を調整し、ウォームギヤを収容するケースは、ウォームホイールとウォームを収容する収容孔を有したケース本体と、ケース本体のウォームホイール収容孔開口側に筒部を形成するため配置された筒体とを含み、筒体はケース本体の側面に当接するフランジ部を最大径とし、ケース本体の筒体と反対側からケース本体を貫通して筒体に達する組み付けボルトによりケース本体と筒体とが一体的に組み付けられようにするのである。
【０００７】
【作用】
このような構成によると、ウォームギヤを収容するケースは、ポンプ本体に調整ねじが螺合できるよう、元々設けてあるねじ部を利用してポンプ本体に取り付けることができ、可変ポンプ側に格別な追加工を必要としない。
【０００８】
【実施例】
以下、本発明の実施例を図面により説明する。
図１、図２は、本実施例を適用する可変ポンプの１例を示すものである。すなわち、１は可変ポンプであり、ケース２Ａと蓋体２Ｂより形成されるポンプ本体２内に、ピストン３を収挿するシリンダ孔４を設けたシリンダブロック５を、駆動軸６と一体回転するよう設置するとともに、各ピストン３の先端がシュー７を介し当接保持される、斜板８を揺動可能に設置している。そして、周知の如く、斜板８の揺動変位により、ピストン３のストロークが変化するようになっており、斜板８が吐出量変更部材を形成するものである。
【０００９】
９は、斜板８を最大角度、すなわち、最大吐出量の方向へ付勢するばねで、１０はスリーブ１０Ａとその外周に嵌合して斜板８にばね９の反対側から当接するピストン１０Ｂを有し、吐出量変更アクチュエータとなるシリンダである。そして、シリンダ１０内には、圧力制御弁１２からの出力孔１３が通じている。
【００１０】
圧力制御弁１２は、蓋体２Ｂの設置孔１４内に摺動自在に設置され、この設置孔１４の径大部１４Ａに収容した調圧ばね１５のばね力を受けて出力孔１３を常時はドレン孔１６へ通じている。そして、図示しない吐出通路から入口孔１７を介して設置孔１４へ導き圧力制御弁１２に調圧ばね１５のばね力に抗する向きに作用する圧液の作用力が、このばね力に打ち勝つと圧力制御弁１２は、入口孔１７と出力孔１３を通じさせるよう移動し、これにより、入口孔１７からの圧液が出力孔１３を経てシリンダ１０内へ導入され、ピストン１０Ｂを移動させて斜板８を吐出量減少方向へ移動させるようにして、吐出通路の圧力が調圧ばね１５のばね力で与えられる設定圧力を越えないよう、周知の如く吐出量を減少させるようにしている。
【００１１】
なお、１８は、最大吐出量調整用のねじ棒である。そして、設置孔１４の径大部１４Ａの開口側には、調圧ばね１５の一端を受け、回動による進退でこのばね力を調整する調整ねじ１８を螺合するねじ部１９が設けられ、２０は、調整ねじ１８の緩み止め用のセットねじである。
【００１２】
そして、このような可変ポンプ１に対し、そのねじ部１９を用いることにより、圧力調整操作装置のケース２１が取り付けられるのである。
【００１３】
すなわち、図３、図４、図５において、ケース２１は、ケース本体２２と筒体２３を有している。ケース本体２２は、ウォーム２４を収容する、上面２２Ａに開口した収容孔２５と、側面２２Ｂに開口した、ウォームホイール２６を収容する収容孔２７を有している。収容孔２５の底壁からは、ウォーム２４のガイド用のピン２８が打ち込みにより設置され、また、収容孔２７の底壁には、ウォームホイール２６の支軸２６Ａを嵌合支持する受け孔２９が貫通している。
【００１４】
筒体２３は、大径となった基部に、収容孔２７に嵌入して内端面がウォームホイール２６に接することができる段付状の嵌入部２３Ａ及びケース本体２２の側面２２Ｂに当接するフランジ部２３Ｂを有するとともに、この基部中心から軸心上に突出する筒部２３Ｃを有して、ウォームホイール２６と同軸状に配置され、軸心方向に貫通する貫通孔２３０が設けてある。そして、筒部２３Ｃ先端側の外周には、可変ポンプ１のねじ部１９に螺合できるねじ部２３Ｅを有するとともに、貫通孔２３０内周には、ねじ部２３Ｆを設けている。
【００１５】
３０は、ケース本体２２の側面２２Ｂと反対側の側面２２Ｃから孔３１を経て筒体２３のフランジ部２３Ｂにねじ込まれた組み付けボルトであり、ケース本体２２と筒体２３を一体的に組み付けている。
【００１６】
３２は進退部材で、筒体２３内の内周に設けたねじ部２３Ｆに螺合するねじ部３２Ａを有するとともに、筒体２３から突出する外端側には、可変ポンプ１の設置孔１４の径大部１４Ａに挿入可能とされて調圧ばね１５の端を支持するばね受け部３２Ｂが形成されている。３２Ｃは、進退部材３２内端側に突設した断面６角形状の伝動軸で、ウォームホイール２６の軸心を貫通して設けた、６角形状の受け孔２６Ｂに摺動自在に支持されており、この伝動軸３２Ｃと受け孔２６Ｂによって、ウォームホイール２６と進退部材３２とが、軸方向への相対移動が許容しつつ、一体的に回動するよう連結されている。
【００１７】
ウォーム２４には、軸心方向に貫通する貫通孔２４Ａが設けてあり、前記ピン２８が、この貫通孔２４Ａの下方に嵌挿されるようになっている。３３は操作軸で、その下端がウォーム２４の貫通孔２４Ａ上方に嵌挿され切欠３３Ｂに当接する止めねじ３４により、ウォーム２４に固定されている。操作軸３３の上端には、図示略の６角レンチ等が係合して回動操作を受けるよう、端面に６角孔状の凹部からなる操作係合部３３Ａが設けてある。３５は、ウォーム２４を抜け止めする上蓋で、操作軸３３が貫通しており、３６は、上蓋３５の取り付け用のボルトである。
【００１８】
そして、このような圧力調整操作装置は、そのケース２１が、可変ポンプ１におけるポンプ本体２に、設置孔１４の径大部１４Ａに設けたねじ部１９に、調整ねじ１８を取り外した状態で、筒体２３の筒部２３Ｃにおけるねじ部２３Ｅを螺合し、操作軸３３を起立した状態で取り付けられ、このとき、進退部材３２のばね受け部３２Ｂが、調圧ばね１５の外方端を支持するようになっている。
【００１９】
上記のように圧力調整操作装置を取り付けた可変ポンプ１は、図６に示すように、これを駆動する電動機３７とともに、油タンク３８の作動油中に浸漬されて油圧ユニットに設置されている。３９は、可変ポンプ１と電動機３７を取り付ける枠であり、４０は、油タンク３８の上部を閉じるよう、着脱自在に設置された上板である。
【００２０】
４１は、ストレーナ４２を設けた吸込管、４３は吐出管である。吐出管４３は、上板４０に設けたマニホールド４４に接続されて、図示しないアクチュエータに接続されるようになっており、４５は戻り管である。そして、４６は、可変ポンプ１の吐出圧力を検出する圧力計であり、４７はエアブリーザである。
【００２１】
枠３９は、可変ポンプ１及び電動機３７を取り付けた状態で、上板４０が取り外された油タンク３８の上部開口から、油タンク３８内に収容され、油タンク３８内に設けた受け片４８に支持、固定されるものである。
【００２２】
そして、上板４０には、可変ポンプ１に取り付けた圧力調整操作装置のケース２１から起立する操作軸３３の作動油の外に出た先端が臨む部位に、この操作軸３３を回動操作するための孔４９が設けてある。そして、この孔４９は、不要の際には、孔４９を塞ぐよう、蓋５０が着脱自在に設けてある。
【００２３】
この作動を説明する。電動機３７により可変ポンプ１が駆動され、その負荷が大きくなって、可変ポンプ１の吐出圧力が上昇し、調圧ばね１５のばね力に抗し圧力制御弁１２を移動させると、シリンダ１０内には、出力孔１３を介し可変ポンプ１の吐出油の一部が導かれる。これにより、ピストン１０Ｂは、ばね９の付勢に抗し斜板８を傾斜角度が小さくなるよう揺動させ、これにより吐出量を小さくする。そして、吐出圧力が低下すると、圧力制御弁１２が調圧ばね１５のばね力で移動し、シリンダ１０内を出力孔１３を介しドレン孔１６に通じさせて、ピストン１０Ｂの後退を許すので、斜板８は再びばね９の付勢により傾斜角度を大きくし、吐出量を増大させる。このような作動が反復され、可変ポンプ１の吐出圧力が、調圧ばね１５のばね力によって規定される、設定圧力より大きくなるこが防止され、負荷が大きくなった際に、吐出圧力がこの設定圧力に保たれる。
【００２４】
ここで、上記設定圧力を変更するには、マニホールド４４に接続されてアクチュエータへと延びる吐出流路（図示せず）を切換弁（図示せず）で閉じた後、蓋５０を取り外して孔４９を開放し、６角レンチ等の工具をこの孔４９から操作軸３３の操作係合部３３Ａに係合させて操作軸３３を回動する。
【００２５】
この回動に応じウォームホイール２６が回動され、進退部材３２は同様に回動されてねじ部２３Ｆに螺合したねじ部３２Ａにより軸方向に進退するので、この進退部材３２のばね受け部３２Ｂで外方端が支持された調圧ばね１５のばね力が変化し、設定圧力が変化される。
【００２６】
このため、マニホールド４４に設置した圧力計４６を読みつつ、前記工具で、操作軸３３をどちらかの方向へ所望の圧力が得られるよう回動することにより、新たな設定圧力が得られる。そして、このように設定圧力を変更した後には、再び、孔４９に蓋５０を設置してこれを閉じておくのである。
【００２７】
このように、所要時以外は蓋５０で孔４９が塞がれるので、油タンク３８の作動油が、孔４９からの異物で汚染されるおそれはなく、また、可変ポンプ１が作動油中にあるにもかかわらず、作動油で手をぬらしたりすることなく、操作できる。
【００２８】
そしてまた、圧力調整操作装置のケース２１は、ポンプ本体２が元来備えているねじ部１９を利用して、このポンプ本体２に取り付けられるので、ポンプ本体２に、格別な追加工は不要となって、標準的なポンプ本体２がそのまま利用でき、従来例で示した如き、コスト高をまねくことが防止され、これにより、油圧ユニットを廉価にできる。
【００２９】
また、ポンプ本体２へのケース２１の取り付けに際し、ケース２１は、ウォーム２４が、ウォームホイール２６の軸線の一方に偏って位置するので、ウォーム２４を、操作軸３３や上蓋３５とともに取り外した状態のケース２１をねじ部１９に螺合するとしても、その回動軌跡の半径が大きくなってしまい、適用する可変ポンプ１によっては、ポンプ本体２に形成される外方への突出部２Ｘ（図６に示す）がケース２１に当接して螺合できなくなってしまうものがある。
【００３０】
このような場合の対処として、本実施例では、次のように取り付けを行なうのである。
すなわち、ウォーム２４を操作軸３３や上蓋３５とともに取り外したケース２１を、まず、組み付けボルト３０を外して、ケース２１を、進退部材３２を螺合した筒体２３と、ウォームホイール２６を収容孔２７に収容したケース本体２２とに分離する。
【００３１】
次いで、筒体２３のねじ部２３Ｅを、設置孔１４におけるねじ部１９に螺合させた後、ケース本体２２を、筒体２３に合体させて組み付けボルト３０により両者を一体的に組み付ける。その後、上蓋３５を挿通させた操作軸３３を止めねじ３４により取り付けたウォーム２４を、ウォームホイール２６に螺合させつつ収容孔２５へ収容して上蓋３５を取り付けボルト３６によりケース本体２２に固定することで、ケース２１のポンプ本体２への取り付けが行なわれる。
【００３２】
このようにねじ部１９への螺合は、ケース本体２２から分離した筒体２３によって行い、筒体２３の最大径はフランジ部２３Ｂ外径にすぎず、ポンプ本体２に突出部２Ｘがあってもこれに当接することなく螺合のため回動させることができる。そしてまた、組み付けボルト３０は、ケース本体２２を挿通して筒体２３に螺着するので、設置孔１４のねじ部１９に螺合設置された筒体２３にケース本体２２を組み付ける際、ポンプ本体２に阻害されずにねじ込み操作できる。
【００３３】
なお、このようにポンプ本体２の突出部２Ｘでケース２１のねじ込みのための回動が阻害されるとき、筒部２３Ｃの軸方向長さを大きくすることで、これを解消させることもできるが、この場合には、ポンプ本体２にケース２１を取り付けたとき、ポンプ本体２からケース２１が大きく突き出すことになってコンパクトな形状を得ることができないが、本実施例においては、筒部２３Ｃを長大化させなくてもよく、コンパクトな形状にまとめることができる。
【００３４】
また、アキシャルピストン形の可変ポンプへの適用を示したが、ベーンポンプ等へも適用できる。
【００３５】
【発明の効果】
このように、請求項１に記載の発明では、可変ポンプが元来備えているねじ部を利用して圧力調整操作装置のケースを可変ポンプのポンプ本体に取り付けできるので、ポンプ本体に格別な追加工がいらず、コスト高となることを防止できる。
【００３６】
また、請求項１に記載の発明では、上記の如き特徴を有する他に、圧力調整操作装置のケースを、筒体とケース本体とに分離し、筒体はケース本体の側面に当接するフランジ部を最大径とすることにより、ポンプ本体に外方への突出部があるような場合でも、この突出部に回動を阻害されることなく筒体をポンプ本体の設置孔のねじ部に螺合することができ、この螺合した筒体にケース本体を組み付けるので、ケース本体を組み付ける際、ポンプ本体に組み付けを阻害されることなくできる。そして、ポンプ本体の外方への突出部で回動を阻害されないよう筒体の筒部の軸方向長さを大きくするものに比し、ポンプ本体からケースを大きく突き出すことなくでき、ポンプ本体に取り付けた際の形状をコンパクトにすることができる。
【００３７】
さらにまた、請求項２に記載の発明では、上記の如き特徴を有する他に、油タンクの作動油中に可変ポンプを浸漬しているにもかかわらず、圧力制御弁の設定圧力の調整を、手をぬらすことなく行なうことができるとともに、可変ポンプがコスト高となることが防止されて、廉価な油圧ユニットを実現できる。
【図面の簡単な説明】
図１
可変ポンプの１例を示す断面図
図２
図１の線Ａ−Ａに沿う部分断面図
図３
本発明の１実施例を示す図２と同様な図
図４
本発明の１実施例におけるケース本体の左側面図
図５
本発明の１実施例におけるケースを一部破断して示した図
図６
本発明の１実施例を示す断面図
【符号の説明】
１  可変ポンプ
２  ポンプ本体
８  斜板（吐出量変更部材）
１０  シリンダ（吐出量変更アクチュエータ）
１２  圧力制御弁
１４  設置孔
１５  調圧ばね
１８  調整ねじ
１９  ねじ部
２１  ケース
２２  ケース本体
２３  筒体
２３Ｃ  筒部
２３Ｅ，２３Ｆ  ねじ部
２４  ウォーム
２５  収容孔
２６  ウォームホイール
２７  収容孔
３０  組み付けボルト
３２  進退部材
３２Ａ  ねじ部
３３  操作軸
３３Ａ  操作係合部
３７  電動機
３８  油タンク
【図１】
0003549248.tif 000002
【図２】
0003549248.tif 000003
【図３】
0003549248.tif 000004
【図４】
0003549248.tif 000005
【図５】
0003549248.tif 000006
【図６】
0003549248.tif 000007